【事件の表示】
　昭和６２年特許願第１４３３０５号「マーキング装置」拒絶査定に対する審判事件（平成８年３月４日出願公告、特公平８−２０７８８）について、次のとおり審決する。
【結論】
　本件審判の請求は、成り立たない。
【理由】
１．本願発明
　本願は昭和６２年６月１０日の出願であって、出願公告をされた明細書と図面の記載によれば（なお、出願公告の後に平成９年４月２８日付け、平成１０年１２月１７日付けでそれぞれなされた手続補正はともに本審決と同日付けで却下された。）、
（１）本発明は、「複写機等の記録装置において原稿の画像中の必要な部分に白黒を含む所定のカラーでマーキングを行うことのできるマーキング装置に係わり、特に原稿を後からマーキング処理を行うときに好適なマーキング装置」（公告公報第２頁第３欄第３４行〜第３８行）において、「書類に追加的にマーキング処理を行うことのできるマーキング装置を提供する」（公告公報第３頁第５欄第２９行〜第３０行）ことを目的とするものである。
（２）その「マーキング装置」に係る発明の要旨とされる構成は、特許請求の範囲の欄第１項の記載によれば、
「記録を行おうとする用紙上の特定の１または複数の領域を指定する領域指定手段と、
この用紙上における前記領域指定手段によって指定された領域にのみ特定の記録条件を用いて所定の淡い一様な濃度でマーキングを行う記録手段と、この記録手段によってマーキングを行うためのカラーを指定するマーキング用カラー指定手段とを具備することを特徴とするマーキング装置」（以下、「本願発明」という。）
である。
２．甲号各証及びその記載内容
　原審査定の拒絶の理由において引用された甲号各証は、以下のものである。
　甲第２号証：特開昭６１−２３８０７１号公報
　電子複写機に適用される画像形成装置に関するものである。
　そして、発明の目的及び概要について、以下の記載がある。
▲１▼「〔発明の目的〕
　この発明…の目的とするところは、原稿画像の任意の部分を選択的に消去することが可能であるとともに、所要の部分に所要の幅の線等を別の色でもって形成することが可能な画像形成装置を提供しようとするものである。
〔発明の概要〕
　この発明は…原稿の多重複写機能、多色現像機能、原稿の任意の範囲を指定する機能及びこの指定された範囲以外の電荷を消去して画像を形成する消去機能を用い、指定部分に指定した幅の線画像を異なる色で形成可能としたものである。」（第２頁左上欄第６行〜第１９）
▲２▼「…画像形成装置において、前記画像が形成された被転写材を再び前記像担持体へ搬送する搬送手段と、黒色を含む異なる色剤により現像を選択的に行う複数の現像手段と、前記走査手段に設けられた透過光により原稿の任意の範囲を指定する指定手段（本願発明の領域指定手段に相当する）と、この指定された範囲以外の部分の電荷を前記像担持体から消去して所定幅の電荷パターンを形成する消去手段とを具備し、画像形成時、前記現像手段による黒色以外の電荷パターンの現像を先に行うことを特徴とする画像形成装置。」（特許請求の範囲第１項）
　また、本願発明の「記録を行おうとする用紙上の特定の１または複数の領域を指定する領域指定手段」に対応する記載としては、以下の記載がある。
▲３▼「３０ａ，３０ｂ，３０ｃ，３０ｄはそれぞれ…原稿の消去位置を示すスポット光源を移動させる操作キー、３０ｅはスポット光源が示す座標位置を入力する位置指定キー」
（第３頁左下欄第１２行〜第１７行）
▲４▼「操作キー３０ａ〜３０ｄ及び位置指定キー３０ｅを操作し、アンダーライン等の線の形成する部分を原稿上で指定する。」
（第８頁右上欄第１７行〜左下欄第１行）
　したがって、「指定する領域」とはアンダーラインを施すことを含むものであり、前記の操作キー及び位置指定キーは、原稿上の所定の範囲を指定するための手段であり、この手段により、転写用紙上の特定領域が指定されるものである。
　次に、本願発明の「マーキングを行うためのカラーを指定するマーキング用カラー指定手段」に対応する記載としては、以下の記載がある。
▲５▼「３０ｊは黒の画像が形成される用紙に赤のアンダーライン等の線の形成を指定する赤ライン指定キー、３０ｋは赤の画像が形成される用紙に黒のアンダーライン等の線の形成を指定する赤ライン指定キー、３０ｌ、３０ｍは各々のライン指定キー３０ｊ、３０ｋの押す回数によって指定される線の幅を表示する幅表示部である。」
（第３頁右下欄第２行〜第９行）
▲６▼「例えば黒の原稿画像を原稿台２にセットして黒原稿指定キー３０ｈを押し、次に赤ライン指定キー３０ｊを押して…ライン指定モードとする。そして、…このようにして、線の形成範囲及び幅を指定した後、複写キーを押すと、…多色の複写動作が行われる。
　即ち、前記黒原稿指定キー３０ｈ及び赤ライン指定キー３０ｊの選択的な押し操作によって、…露光ランプ４は…点灯制御される。このとき、…感光体ドラム１０の表面電荷は指定された範囲のみ残され、指定された範囲に所定幅の静電潜像が形成される。そして、この感光体ドラム１０に形成された静電潜像は、…現像され、第２６図に示す如く、感光体ドラム１０上に赤の線Ｌの現像画像を形成する。…
　上記のように、感光体ドラム１０に現像された線Ｌは、給紙された用紙上に転写され、定着されて赤の複写動作が終了すると、…前記赤の線Ｌの画像が形成された用紙を再び感光体ドラム１０の上流側へ送れる。用紙が感光体ドラム１０の上流側へ送られると、…原稿が露光操作されて感光体ドラム１０に原稿画像の静電潜像を形成し、この静電潜像は…現像される。そして、このように感光体ドラム１０に現像された黒の原稿画像は、…再度給送された用紙の同一面に転写され、定着されて黒の重ね複写が行われた後、排紙される。
　したがって、排紙された用紙には、第２２図（ｂ）に示す如く、黒の原稿画像の指定された範囲に赤の線（アンダーライン）Ｌが形成される。
　また、例えばライン指定キー３０ｊによって、線Ｌの幅を最大幅に設定すると、…第２２図（ｅ）に示す如く用紙Ｐの指定範囲には最大幅の赤の線Ｌが形成され、その上に…黒の原稿画像を重ね複写されると、指定範囲を赤の線で強調させることができる。」
（第８頁右上欄第７行〜第９頁右上欄第１８行）
　したがって、「マーキング用カラー指定手段」とは赤色でアンダーラインを施すことを指定するキーを具体的手段として含むものである。
　そして、多色重ね合わせ複写を行う理由に関して、以下の記載がある。
▲７▼「このように多色重ね複写を行なう理由は、下に形成された原稿画像の光が透過しにくくなって見えなく成ることに起因する。…
　また、…指定した原稿の所定範囲に線を別の色で形成することができ、…この線の幅を変化できるようにしている。したがって、線で塗りつぶされる原稿の所要部分を強調することが可能である。」
（第９頁右上欄第１９行〜左下欄第１７行）
　してみると、これらの記載からみて、甲第２号証には、
文字情報を有する用紙上の領域であって、複数のアンダーラインが引かれる領域を、操作キー及び位置指定キーを操作して指定する指定手段と、この用紙上における前記指定手段によって指定されたアンダーライン部分のみ特定の記録条件を用いて、用紙上の黒色の文字情報と視覚的に区別可能なようにマーキングを行う記録手段と、この記録手段によってマーキングを行うための赤色を指定する赤ライン指定キー、
が記載されている。
甲第３号証：特開昭５８−３７６６５号公報
　電子写真記録法に係り、とくに記録紙全体に薄く均一に着色させることのできる電子写真記録法に関するものである。
　そして、発明の目的及び実施例について、以下の記載がある。
▲１▼「本発明の目的は記録紙全体に薄い有彩色にするための装置をとくに設けることなく、画像記録を行うと同時に用紙全体を薄く有彩色に記録できる電子写真記録法を提供することである。」
（第１頁右欄第１６行〜第１９行）
▲２▼「第４図は第３図の実施例の適用例を示す。…記録紙１０上に四角枠１１１と文字１１２より成る画像を記録する場合、四角枠１１１を赤、文字１１２を青とし、それ以外の背景１２を薄い赤で全体を着色したものである。
　このように、背景部を薄く着色することにより、青い文字のコントラストを良好にするとともに、美観上および識別上に有効なものとなる。」
（第２頁左下欄第３行〜第１０行）
　してみると、これらの記載からみて、甲第３号証には、
画像を有する用紙上の所定領域に、文字等の画像との関連に基づく識別性を考慮して、薄い濃度（淡い一様な濃度）の着色部分（マーキング）を設ける技術手段、
が開示されている。
３．本願発明と甲第２号証に記載される発明との対比・判断
　そこで、本願発明と甲第２号証に記載された発明とを比較すると、
　本願発明の
「記録を行おうとする用紙上の特定の１または複数の領域を指定する領域指定手段」、
「この用紙上における前記領域指定手段によって指定された領域にのみ特定の記録条件を用いてマーキングを行う記録手段」及び
「この記録手段によってマーキングを行うためのカラーを指定するマーキング用カラー指定手段」は、
甲第２号証に記載された発明の、
「文字情報を有する用紙上の領域であって、複数のアンダーラインが引かれる領域を、操作キー及び位置指定キーを操作して指定する指定手段」、「この用紙上における前記指定手段によって指定されたアンダーライン部分のみ特定の記録条件を用いてマーキングを行う記録手段」及び
「この記録手段によってマーキングを行うための赤色を指定する赤ライン指定キー」にそれぞれ相当するので、
両者は、
　記録を行おうとする用紙上の特定の１または複数の領域を指定する領域指定手段と、
この用紙上における前記領域指定手段によって指定された領域にのみ特定の記録条件を用いてマーキングを行う記録手段と、
この記録手段によってマーキングを行うためのカラーを指定するマーキング用カラー指定手段とを具備するマーキング装置、
である点で共通しており、
記録手段に関して、
本願発明においては、「特定の記録条件を用いて所定の淡い一様な濃度でマーキングを行う」と限定されるのに対して、
甲第２号証に記載された発明においては、「特定の記録条件を用いて」とされるものの「淡い一様な濃度」との限定がなされていない点、
で相違する。
　しかしながら、用紙上の画像と視覚的に区別可能ならしめる目的のために淡い一様な濃度のマーキングを行うことは、甲第３号証に記載されており、当業者がその選択に格別困難を要するものとは認められず、また、それによる作用効果も当業者が容易に想到し得る程度のものである。
４．むすび
　以上のとおりであるから、本願発明は、甲第２号証及び甲第３号証に記載の発明に基づいて当業者が容易に発明をすることができたものと認められるので、特許法第２９条第２項の規定により特許を受けることができない。